(57)【特許請求の範囲】
【請求項１】
平板状形態を有し且つその面方向に沿って被処理空気（Ａａ）を通す多数の通風路（３），（３），・・を並設してなる吸着用素子であって、
上記各通風路（３），（３），・・の流路途中に、該各通風路（３），（３），・・内をそれぞれ流れる被処理空気（Ａａ）を合流させて混合する被処理空気混合部（３１）が設けられていることを特徴とする吸着用素子。
【請求項２】
請求項１において、
上記被処理空気混合部（３１）が、上記各通風路（３），（３），・・の流路途中を切り欠いて構成されていることを特徴とする吸着用素子。
【請求項３】
請求項１において、
上記各通風路（３），（３），・・の上記被処理空気混合部（３１）の下流側における通路長さが略同一となるように該被処理空気混合部（３１）の平面形状が設定されていることを特徴とする吸着用素子。
【請求項４】
請求項１において、
上記各通風路（３），（３），・・の上記被処理空気混合部（３１）の下流側における通路長さが、該通風路（３），（３），・・の並設方向の一端（１ｃ）側から他端（１ｄ）側にかけて連続的に又は段階的に減少変化するように上記被処理空気混合部（３１）の平面形状が設定されていることを特徴とする吸着用素子。
【請求項５】
請求項１，２，３又は４において、
上記被処理空気混合部（３１）が上記通風路（３），（３），・・の流路方向に適宜間隔をもって複数個設けられていることを特徴とする吸着用素子。
【請求項６】
平板状形態を有し且つその面方向に沿って被処理空気（Ａａ）を通す多数の通風路（３），（３），・・を並設してなる吸着用素子（１）と、平板状形態を有し且つその面方向に沿って冷却用空気（Ａｂ）を通す多数の通風路（４），（４），・・を並設してなる冷却用素子（２）とを、平面視において上記吸着用素子（１）側の通風路（３），（３），・・と上記冷却用素子（２）側の通風路（４），（４），・・とが略直交するように交互に積層して構成される除湿素子であって、
上記吸着用素子（１）は上記各通風路（３），（３），・・の流路途中に該各通風路（３），（３），・・内をそれぞれ流れる被処理空気（Ａａ）を合流させて混合する被処理空気混合部（３１）を備える一方、
上記冷却用素子（２）には、上記冷却用空気（Ａｂ）を、上記吸着用素子（１）の上記被処理空気混合部（３１）よりも上流側部位に相対する第１領域（２５Ａ）における流量が下流側部位に相対する第２冷却領域（２５Ｂ）における流量よりも少なくなるように偏流させる偏流手段（２３）が設けられていることを特徴とする除湿素子。
【請求項７】
平板状形態を有し且つその面方向に沿って被処理空気（Ａａ）を通す多数の通風路（３），（３），・・を並設してなる吸着用素子（１）と、平板状形態を有し且つその面方向に沿って冷却用空気（Ａｂ）を通す多数の通風路（４），（４），・・を並設してなる冷却用素子（２）とを、平面視において上記吸着用素子（１）側の通風路（３），（３），・・と上記冷却用素子（２）側の通風路（４），（４），・・とが略直交するように交互に積層して構成される除湿素子であって、
上記吸着用素子（１）は上記各通風路（３），（３），・・の流路途中に該各通風路（３），（３），・・内をそれぞれ流れる被処理空気（Ａａ）を合流させて混合する被処理空気混合部（３１）を備える一方、
上記冷却用素子（２）は上記吸着用素子（１）における上記被処理空気混合部（３１）よりも上流側部位と下流側部位にそれぞれ相対する第１領域（２５Ａ）と第２冷却領域（２５Ｂ）のみに冷却用空気（Ａｂ）を流すように構成されていることを特徴とする除湿素子。
【請求項８】
請求項７において、
上記冷却用空気（Ａｂ）の流量を、上記第１領域（２５Ａ）側の流量が上記第２領域（２５Ｂ）側の流量よりも少なくなるように設定したことを特徴とする除湿素子。
【発明の詳細な説明】
【０００２】
【発明の属する技術分野】
【０００３】
本願発明は、吸着用素子及びこれを備えて構成される除湿素子の構造に関するものである。
【従来の技術】
【０００４】
図７に示すように、従来一般的な除湿素子Ｚ０は、平板状形態を有し且つ被処理空気Ａａ（即ち、湿り空気）を通す多数の通風路３，３，・・を平面方向に多数並設するとともに該通風路３，３，・・に水分を吸着する吸着剤を担持してなる吸着用素子１と、平板状形態を有し且つ冷却用空気Ａｂを通す通風路４，４，・・を備えた冷却用素子２とを、平面視において上記吸着用素子１の通風路３と上記冷却用素子２の通風路４とが相互に直交するようにして交互に多段積載し且つこれらを一体化して構成される。
【０００５】
そして、かかる除湿素子Ｚ０においては、上記吸着用素子１の通風路３，３，・・に被処理空気Ａａを流し、その水分を吸着剤によって吸着除去することでその除湿を行うと同時に、水分の吸着によって吸着用素子１側に発生する吸着熱を、上記冷却用素子２の通風路４，４，・・を流れる冷却用空気Ａｂによって順次冷却してこれを放熱することで上記吸着用素子１の吸着能力を長期に亙って良好に維持するようになっている。
【０００６】
従って、除湿素子Ｚ０全体としての除湿能力の向上を図るという観点からすれば、上記吸着用素子１の全域において可及的に均等に水分の吸着除去作用が行われること、換言すれば、上記冷却用素子２による吸着用素子１に対する冷却作用が該吸着用素子２の全域において可及的に均等に行われることが必要であるといえる。
【発明が解決しようとする課題】
【０００７】
ところが、上述のように、除湿素子Ｚ０においては、上記吸着用素子１と冷却用素子２とを積層した状態において、該吸着用素子１の通風路３，３，・・と冷却用素子２の通風路４，４，・・とが相互に直交し、該吸着用素子１側を流れる被処理空気Ａａと冷却用素子２側を流れる冷却用空気Ａｂとが直交方向に流れる所謂「直交流」状態となることから、次述するように、上記吸着用素子１における吸着除去効率に偏りが生じ、除湿素子Ｚ０全体としての除湿能力が低下する（即ち、当初期待通りの除湿能力が得られない）という問題があった。
【０００８】
即ち、一般に、上記吸着用素子１に担持される吸着剤には、これに接触する被処理空気Ａａの含水率が高いほど水分の吸着除去効率が高く、含水率が低下するにつれ吸着除去効率も低下するという特性があり、従って、吸着用素子１の壁温もこの吸着除去効率に対応して、吸着除去効率が高い部位ほど発生する吸着熱も多く、それだけ壁温も高くなる。
【０００９】
一方、上記冷却用素子２による上記吸着用素子１に対する冷却効率は、該冷却用素子２側を流れる冷却用空気Ａｂの室内温度と該冷却用空気Ａｂにより冷却作用を受ける上記吸着用素子１の壁温との温度差が大きいほど高効率となる。
【００１０】
従って、係る観点から上記除湿素子Ｚ０をみれば、上記吸着用素子１の各通風路３，３，・・のそれぞれに被処理空気Ａａが略均等に導入され且つこれが該吸着用素子１の上流部１ａ側から下流部１ｂに向けて流れる一方、上記冷却用素子２の各通風路４，４，・・のそれぞれに冷却用空気Ａｂが略均等に導入され且つこれが該冷却用素子２の上流部２ａ側から下流部２ｂに向けて流れる場合、吸着除去効率と冷却効率との相乗効果として得られる除湿能力は、上記吸着用素子１の上流部１ａ寄り（即ち、水分の吸着除去効率が高く吸着熱も高い部位）で、且つ上記冷却用素子２の上流部２ａ（即ち、冷却用空気Ａｂの水温が最も低く上記吸着用素子１の壁温との温度差が最も大きい部位）において最も高くなり、該部位から上記吸着用素子１の下流部１ｂ側及び上記冷却用素子２の下流部２ｂ側へそれぞれ移行するに従って除湿能力が低下するような特性となる。
【００１１】
このことは、上記吸着用素子１についてみれば、該吸着用素子１の一部領域において水分の吸着除去作用が集中的に行われ、他の領域は水分の吸着除去作用にほとんど寄与していないこと、換言すれば、上記吸着用素子１の有効吸着領域が小さいことであり、この結果として、除湿素子Ｚ０全体としての除湿能力が低下することになるものである。
【００１２】
以上のことからして、除湿素子Ｚ０全体としての除湿能力を高めるためには、上記吸着用素子１の有効吸着領域の拡大を図ること、及び該吸着用素子１に対する冷却用素子２の冷却効率を十分に考慮することが必要となる。しかるに、かかる要請に応え得る有効な技術はいまだ提案されていないというのが実情である。
【００１３】
そこで本願発明は、高い除湿能力をもつ除湿素子を得るに好適な吸着用素子及びこれを備えてなる除湿素子を提供することを目的としてなされたものである。
【課題を解決するための手段】
【００１４】
本願発明ではかかる課題を解決するための具体的手段として次のような構成を採用している。
【００１５】
本願の第１の発明では、平板状形態を有し且つその面方向に沿って被処理空気Ａａを通す多数の通風路３，３，・・を並設してなる吸着用素子において、上記各通風路３，３，・・の流路途中に、該各通風路３，３，・・内をそれぞれ流れる被処理空気Ａａを合流させて混合する被処理空気混合部３１を設けたことを特徴としている。
【００１６】
本願の第２の発明では、上記第１の発明にかかる吸着用素子において、上記被処理空気混合部３１を、上記各通風路３，３，・・の流路途中を切り欠いて構成したことを特徴としている。
【００１７】
本願の第３の発明では、上記第１の発明にかかる吸着用素子において、上記各通風路３，３，・・の上記被処理空気混合部３１の下流側における通路長さを略同一とするように該被処理空気混合部３１の平面形状を設定したことを特徴としている。
【００１８】
本願の第４の発明では、上記第１の発明にかかる吸着用素子において、上記各通風路３，３，・・の上記被処理空気混合部３１の下流側における通路長さを、該通風路３，３，・・の並設方向の一端１ｃ側から他端１ｄ側にかけて連続的に又は段階的に減少変化するように上記被処理空気混合部３１の平面形状を設定したことを特徴としている。
【００１９】
本願の第５の発明では、上記第１，第２，第３又は第４の発明にかかる吸着用素子において、上記被処理空気混合部３１を上記通風路３，３，・・の流路方向に適宜間隔をもって複数個設けたことを特徴としている。
【００２０】
本願の第６の発明では、平板状形態を有し且つその面方向に沿って被処理空気Ａａを通す多数の通風路３，３，・・を並設してなる吸着用素子１と、平板状形態を有し且つその面方向に沿って冷却用空気Ａｂを通す多数の通風路４，４，・・を並設してなる冷却用素子２とを、平面視において上記吸着用素子１側の通風路３，３，・・と上記冷却用素子２側の通風路４，４，・・とが略直交するように交互に積層して構成される除湿素子において、上記吸着用素子１は上記各通風路３，３，・・の流路途中に該各通風路３，３，・・内をそれぞれ流れる被処理空気Ａａを合流させて混合する被処理空気混合部３１を備える一方、上記冷却用素子２には、上記冷却用空気Ａｂを、上記吸着用素子１の上記被処理空気混合部３１よりも上流側部位に相対する第１領域２５Ａにおける流量が下流側部位に相対する第２冷却領域２５Ｂにおける流量よりも少なくなるように偏流させる偏流手段２３を設けたことを特徴としている。
【００２１】
本願の第７の発明では、平板状形態を有し且つその面方向に沿って被処理空気Ａａを通す多数の通風路３，３，・・を並設してなる吸着用素子１と、平板状形態を有し且つその面方向に沿って冷却用空気Ａｂを通す多数の通風路４，４，・・を並設してなる冷却用素子２とを、平面視において上記吸着用素子１側の通風路３，３），・・と上記冷却用素子２側の通風路４，４，・・とが略直交するように交互に積層して構成される除湿素子において、上記吸着用素子１は上記各通風路３，３，・・の流路途中に該各通風路３，３，・・内をそれぞれ流れる被処理空気Ａａを合流させて混合する被処理空気混合部３１を備える一方、上記冷却用素子２はこれを上記吸着用素子１における上記被処理空気混合部３１よりも上流側部位と下流側部位にそれぞれ相対する第１領域２５Ａと第２冷却領域２５Ｂのみに冷却用空気Ａｂを流すように構成したことを特徴としている。
【００２２】
本願の第８の発明では、上記第７の発明にかかる除湿素子において、上記冷却用空気Ａｂの流量を、上記第１領域２５Ａ側の流量が上記第２領域２５Ｂ側の流量よりも少なくなるように設定したことを特徴としている。
【発明の効果】
【００２３】
本願発明ではかかる構成とすることにより次のような効果が得られる。
【００２４】
（ａ）  本願の第１の発明にかかる吸着用素子では、平板状形態を有し且つその面方向に沿って被処理空気Ａａを通す多数の通風路３，３，・・を並設してなる吸着用素子において、上記各通風路３，３，・・の流路途中に、該各通風路３，３，・・内をそれぞれ流れる被処理空気Ａａを合流させて混合する被処理空気混合部３１を設けている。
【００２５】
従って、この発明の吸着用素子によれば、該吸着用素子の各通風路３，３，・・に被処理空気Ａａが導入され、これが該各通風路３，３，・・を通ってその下流側に流れるとき、該各通風路３，３，・・の内面に担持された吸着剤によって該被処理空気Ａａに含まれている水分が順次除去され、該被処理空気Ａａの除湿が実行される。
【００２６】
この場合、上記各通風路３，３，・・が吸着用素子の上流側から下流側まで一連の通路とされていると、該各通風路３，３，・・内を流れる被処理空気Ａａ相互間が隔離されることから、これら各被処理空気Ａａ相互間には、該吸着用素子における上記各通風路３，３，・・の配置位置に対応して、その温度及び湿度が不均一となる。即ち、通常、上記吸着用素子を流れる被処理空気Ａａの流れ方向と略直交方向に冷却用空気が流れるため、冷却用空気の上流側（即ち、低温側）に対応する吸着用素子の通風路３と、冷却用空気の下流側（即ち、高温側）に対応する吸着用素子の通風路３との間においては吸着熱の放熱作用が異なることから当然に被処理空気Ａａの温度に差が生じるとともに、この冷却性の相違に対応して吸着除去効率が異なり、その結果として、湿度も相違することになる）。
【００２７】
かかる各通風路３，３，・・を流れる被処理空気Ａａ相互間の温度及び湿度の不均一は、そのまま吸着用素子における水分の吸着除去効率の差として現れ、該吸着用素子には吸着除去効率の高い部位とこれが低い部位とが混在し、その結果、吸着用素子全体としての吸着能力の低下につながることになるものである。
【００２８】
ところが、この発明にかかる吸着用素子においては、上記各通風路３，３，・・の流路途中に上記被処理空気混合部３１が設けられているので、該各通風路３，３，・・にそれぞれ分流して流入する被処理空気Ａａは、被処理空気混合部３１に流入し、ここで合流し且つ混合されることで、例え該被処理空気混合部３１への流入時に既に各通風路３，３，・・相互間において被処理空気Ａａの温度及び湿度が不均一となっていたとしても、該被処理空気混合部３１での合流混合によってこれらの均一化が図られる。そして、該被処理空気混合部３１の下流側の各通風路３，３，・・には、該被処理空気混合部３１で温度及び湿度が均一化された被処理空気Ａａが流入し、それぞれ各通風路３，３，・・において水分の吸着除去作用を受けることになる。
【００２９】
このため、例えば従来のように、上記各通風路３，３，・・のそれぞれに流入した被処理空気Ａａがその途中で混合されることなく隔離状態のまま（即ち、温度及び湿度が不均一とされたまま）流れる場合に比して、該各通風路３，３，・・相互間における吸着除去効率が可及的に均一化され、上記吸着用素子の有効吸着領域の拡大が図られ、その結果、上記吸着用素子全体としてのとしての吸着能力が向上し、延いては該吸着用素子を用いて除湿素子を構成した場合における該除湿素子の除湿能力の向上が期待できるものである。
【００３０】
さらに、この発明の吸着用素子においては、上記被処理空気混合部３１を設けることで、該被処理空気混合部３１の形成部分だけ該吸着用素子の軽量化と低廉化が図れるとともに、比較的高価な吸着剤の使用量を少なくすることができ、これらの相乗効果として上記吸着用素子をより安価に提供でき、また、かかる効果は上記吸着用素子が大型大容量であるほど顕著となる。
【００３１】
（ｂ）  本願の第２の発明にかかる吸着用素子によれば、上記（ａ）に記載の効果に加えて次のような特有の効果が得られる。即ち、この発明の吸着用素子においては、上記被処理空気混合部３１を、上記各通風路３，３，・・の流路途中を切り欠いて構成しているので、その製作が極めて容易であり、高い吸着能力をもつ吸着用素子をより安価に提供でき、延いては該吸着用素子を備えて構成される除湿素子の低コスト化に寄与し得るものである。
【００３２】
（ｃ）  本願の第３の発明にかかる吸着用素子によれば、上記（ａ）に記載の効果に加えて次のような特有の効果が得られる。即ち、この発明の吸着用素子によれば、上記第１の発明にかかる吸着用素子において、上記各通風路３，３，・・の上記被処理空気混合部３１の下流側における通路長さを略同一とするように該被処理空気混合部３１の平面形状を設定しているので、上記各通風路３，３，・・の上記被処理空気混合部３１の下流側部分における流通抵抗が該各通風路３，３，・・相互間において可及的に均等化され、延いては該被処理空気混合部３１の下流側の全域での吸着除去効率の均等化が図られ、それだけ上記除湿素子の有効吸着領域の拡大が促進される。
【００３３】
（ｄ）  本願の第４の発明にかかる吸着用素子によれば、上記（ａ）に記載の効果に加えて次のような特有の効果が得られる。即ち、この発明の吸着用素子によれば、上記第１の発明にかかる吸着用素子において、上記各通風路３，３，・・の上記被処理空気混合部３１の下流側における通路長さを、該通風路３，３，・・の並設方向の一端１ｃ側から他端１ｄ側にかけて連続的に又は段階的に減少変化するように上記被処理空気混合部３１の平面形状を設定しているので、上記被処理空気混合部３１の上流側の通風路３，３，・・から該被処理空気混合部３１に流入し且つここで合流混合された被処理空気Ａａは、該被処理空気混合部３１の下流側の通風路３，３，・・に対してその流通抵抗の大きさに対応して、通路長さの短い通風路３ほど被処理空気Ａａの流量が多くなるように、偏流状態で流入する。この結果、被処理空気Ａａの流量が多い部位ほどその水分除去作用が促進され、上記吸着用素子１の上記被処理空気混合部３１の下流側部位においては、上記通風路３，３，・・の並設方向において水分吸着除去作用に差異を生じることになる。
【００３４】
従って、この吸着用素子１に冷却用素子を相対させて除湿素子を構成する場合に、該吸着用素子１の水分吸着除去作用の高い側が上記冷却用素子における冷却用空気の下流側に対応するように該吸着用素子１と冷却用素子とを組付ることで、該吸着用素子１の水分吸着除去作用の高い側（即ち、被処理空気Ａａの偏流がなければ水分吸着除去作用が低くなる部位）が水分吸着除去に対して有効に機能し、それだけ上記吸着用素子１全体としての有効吸着領域が拡大され、その吸着能力の向上が図れるものである。
【００３５】
（ｅ）  本願の第５の発明にかかる吸着用素子によれば、上記（ａ），（ｂ），（ｃ）または（ｄ）に記載の効果に加えて次のような特有の効果が得られる。即ち、この発明の吸着用素子によれば、上記第１，第２，第３又は第４の発明にかかる吸着用素子において、上記被処理空気混合部３１を上記通風路３，３，・・の流路方向に適宜間隔をもって複数個設けているので、上記被処理空気混合部３１での被処理空気Ａａの合流混合による温度及び湿度の均一化作用が複数回繰り返されるため、上記吸着用素子の吸着除去効率の均等化がより一層促進され、吸着能力の更なる向上が期待できることになる。
【００３６】
（ｆ）  本願の第６の発明にかかる除湿素子では、平板状形態を有し且つその面方向に沿って被処理空気Ａａを通す多数の通風路３，３，・・を並設してなる吸着用素子１と、平板状形態を有し且つその面方向に沿って冷却用空気Ａｂを通す多数の通風路４，４，・・を並設してなる冷却用素子２とを、平面視において上記吸着用素子１側の通風路３，３，・・と上記冷却用素子２側の通風路４，４，・・とが略直交するように交互に積層して構成される除湿素子において、上記吸着用素子１は上記各通風路３，３，・・の流路途中に該各通風路３，３，・・内をそれぞれ流れる被処理空気Ａａを合流させて混合する被処理空気混合部３１を備える一方、上記冷却用素子２には、上記冷却用空気Ａｂを、上記吸着用素子１の上記被処理空気混合部３１よりも上流側部位に相対する第１領域２５Ａにおける流量が下流側部位に相対する第２冷却領域２５Ｂにおける流量よりも少なくなるように偏流させる偏流手段２３を設けている。
【００３７】
従って、この発明にかかる除湿素子によれば、上記吸着用素子１側においては上記被処理空気混合部３１を設けることで該被処理空気混合部３１の下流側の各通風路３，３，・・を流れる被処理空気Ａａの温度及び湿度の均一化が図られ、該下流側部位における水分吸着除去作用が促進される一方、上記冷却用素子においては上記偏流手段２３による冷却用空気Ａｂの偏流作用によって上記吸着用素子１の下流側部位に対応する第２領域２５Ｂ側の冷却作用が促進される。従って、上記吸着用素子１の上記被処理空気混合部３１の下流側部位においては、上記冷却用素子２によって効率良く冷却されその吸着熱の放熱が促進され、より高い吸着能力を発揮することになる。
【００３８】
この結果、この発明の除湿素子においては、例えば従来構造の除湿素子の吸着用素子において除湿作用にほとんど寄与していなかった部位、即ち、該吸着用素子の下流側で且つ冷却用素子の冷却用空気の下流側に対応する部位が、有効に除湿作用を行うこととなり、それだけ除湿素子の除湿能力の向上が図れることになる。
【００３９】
さらに、この発明の除湿素子においては、上記吸着用素子１に上記被処理空気混合部３１を設けることで、該被処理空気混合部３１の形成部分だけ該吸着用素子１の軽量化と低廉化が図れるとともに、比較的高価な吸着剤の使用量を少なくすることができ、これらの相乗効果として上記除湿素子をより安価に提供でき、また、かかる効果は上記除湿素子が大型大容量であるほど顕著となる。
【００４０】
（ｇ）  本願の第７の発明にかかる除湿素子では、平板状形態を有し且つその面方向に沿って被処理空気Ａａを通す多数の通風路３，３，・・を並設してなる吸着用素子１と、平板状形態を有し且つその面方向に沿って冷却用空気Ａｂを通す多数の通風路４，４，・・を並設してなる冷却用素子２とを、平面視において上記吸着用素子１側の通風路３，３），・・と上記冷却用素子２側の通風路４，４，・・とが略直交するように交互に積層して構成される除湿素子において、上記吸着用素子１は上記各通風路３，３，・・の流路途中に該各通風路３，３，・・内をそれぞれ流れる被処理空気Ａａを合流させて混合する被処理空気混合部３１を備える一方、上記冷却用素子２はこれを上記吸着用素子１における上記被処理空気混合部３１よりも上流側部位と下流側部位にそれぞれ相対する第１領域２５Ａと第２冷却領域２５Ｂのみに冷却用空気Ａｂを流すように構成している。
【００４１】
従って、この発明にかかる除湿素子によれば、上記吸着用素子１側においては上記被処理空気混合部３１を設けることで該被処理空気混合部３１の下流側の各通風路３，３，・・を流れる被処理空気Ａａの温度及び湿度の均一化が図られ、該下流側部位における水分吸着除去作用が促進される一方、上記冷却用素子２においては上記吸着用素子１の上記被処理空気混合部３１よりも上流側部位と下流側部位にそれぞれ相対する第１領域２５Ａと第２冷却領域２５Ｂのみに（換言すれば、吸着剤が担持されておりその吸着熱の放熱のために冷却が必要である部位のみに）冷却用空気Ａｂが流され、この部位のみが集中的に冷却されるとともに、上記被処理空気混合部３１に相対する部位には冷却用空気Ａｂを流さないことでその分だけ上記第１領域２５Ａと第２冷却領域２５Ｂへの冷却用空気Ａｂの流量を増加させることができることから、該第１領域２５Ａと第２冷却領域２５Ｂの冷却能力をより一層高めることが可能となる。従って、上記吸着用素子１の上記被処理空気混合部３１の下流側部位においては、上記冷却用素子２によって効率良く冷却されその吸着熱の放熱が促進され、より高い吸着能力を発揮することになる。
【００４２】
この結果、この発明の除湿素子においては、例えば従来構造の除湿素子の吸着用素子において除湿作用にほとんど寄与していなかった部位、即ち、該吸着用素子の下流側で且つ冷却用素子の冷却用空気の下流側に対応する部位が、有効に除湿作用を行うこととなり、それだけ除湿素子の除湿能力の向上が図れることになる。
【００４３】
さらに、この発明の除湿素子においては、上記吸着用素子１に上記被処理空気混合部３１を設けることで、該被処理空気混合部３１の形成部分だけ該吸着用素子１の軽量化と低廉化が図れるとともに、比較的高価な吸着剤の使用量を少なくすることができ、これらの相乗効果として上記除湿素子をより安価に提供でき、また、かかる効果は上記除湿素子が大型大容量であるほど顕著となる。
【００４４】
（ｈ）  本願の第８の発明にかかる除湿素子によれば、上記（ｇ）に記載の効果に加えて次のような特有の効果が得られる。即ち、この発明の除湿素子によれば、上記第７の発明にかかる除湿素子において、上記冷却用空気Ａｂの流量を、上記第１領域２５Ａ側の流量が上記第２領域２５Ｂ側の流量よりも少なくなるように設定しているので、上記吸着用素子１における冷却能力は上記第１領域２５Ａ側の方が第２領域２５Ｂ側よりも低くなり、これに対応して上記吸着用素子１の上記被処理空気混合部３１の下流側部位における吸着能力が向上し、それだけ該吸着用素子１の有効吸着領域の拡大によって上記除湿素子の除湿能力の更なる向上が期待できるものである。
【発明の実施の形態】
【００４５】
以下、本願発明を好適な実施形態に基づいて具体的に説明する。
【００４６】
Ｉ：第１の実施形態
図１には、本願発明の第１の実施形態にかかる吸着用素子１及びこれを備えて構成される除湿素子Ｚ１を示している。この除湿素子Ｚ１は、上記吸着用素子１と後述する冷却用素子２とを交互に積層し且つこれらを一体化して構成されるものであって、該吸着用素子１の構成に本願発明が適用されたものである。
【００４７】
上記吸着用素子１は、例えばガラス繊維でなる一対の平板材１１，１１の内側に、同じくガラス繊維でなる波板材１２を挟着支持し、且つこれら両者を接合固定して一体化してなる両面段ボール状形態を有するものであって、上記一対の平板材１１，１１と上記波板材１２との間に平行に延びる多数の通風路３，３，・・を形成するとともに、上記通風路３，３，・・の流路方向の中段位置には、例えば打ち抜き加工によって、該流路方向に所定幅をもち且つその幅方向の一側部１ｃから他側部１ｄにかけて延びる横長矩形の開口部１３を設けている。さらに、この吸着用素子１の表面全域には、例えばゼオライト等の水分を吸着する性状をもつ吸着剤が担持されており、この吸着剤の担持によって該吸着用素子１には所要の吸着能力が付与されている。そして、この吸着用素子１においては、上記通風路３，３，・・の一端がそれぞれ開口する上流部１ａ側から該通風路３，３，・・の他端がそれぞれ開口する下流部２ｂに向けて被処理空気Ａａ（即ち、湿り空気）が流される。
【００４８】
一方、上記冷却用素子２は、上下一対の平板材２１，２１とこれら両者間に挟持された一枚の波板材２２とを接合固定してなる両面段ボール状形態をもち、該波板材２２とその両面側にそれぞれ対向する上記一対の平板材２１，２１との間には多数の通風路４，４，・・が形成されている。この場合、この実施形態の冷却用素子２においては、上記通風路４，４，・・の配置ピッチを一定に設定し、該各通風路４，４，・・間において、その通路面積、即ち、流通抵抗が一定となるようにしている。そして、この冷却用素子２においては、上記通風路４，４，・・の一端が開口する上流部２ａ側から該通風路４，４，・・の他端が開口する下流部２ｂに向けて冷却用空気Ａｂが流される。
【００４９】
以上のように構成された上記吸着用素子１と冷却用素子２とを、平面視において、上記吸着用素子１の通風路３，３，・・の通路方向と上記冷却用素子２の通風路４，４，・・の通路方向とが直交するように９０°の平面位相をもって、順次交互に積層し、且つこれらを一体化することで、上記除湿素子Ｚ１が構成される。
【００５０】
この除湿素子Ｚ１においては、上記各吸着用素子１，１，・・に対してその上流部１ａから下流部１ｂに向けて上記各通風路３，３，・・を通して被処理空気Ａａを流すとともに、上記各冷却用素子２，２，・・に対してその上流部２ａから下流部２ｂに向けて上記通風路４，４，・・を通して冷却用空気Ａｂを流すことで、上記各吸着用素子１，１，・・側においてはこれに担持された吸着剤によって上記被処理空気Ａａに含まれていた水分が吸着除去され、該被処理空気Ａａの除湿作用が行われる一方、上記各冷却用素子２，２，・・側においては冷却用空気Ａｂによって上記各吸着用素子１，１，・・の冷却、即ち、該各吸着用素子１，１，・・に発生する吸着熱の放熱が行われる。この結果、上記各吸着用素子１，１，・・における吸着能力が長期に亙って高水準に維持され、延いては上記除湿素子Ｚ１の除湿能力の向上が図れるものである。
【００５１】
ここで、上記除湿素子Ｚ１の除湿能力は、既述のように、上記各吸着用素子１，１，・・における水分の吸着除去作用が、該吸着用素子１の可及的に広い範囲において、究極的にはその全域において、高効率で行われること、換言すれば、上記吸着用素子１における有効吸着領域が拡大されることによって達成されるものである。
【００５２】
この場合、この実施形態の吸着用素子１においては、上述のように上記各通風路３，３，・・の流路途中に上記開口部１３を設けているので、該吸着用素子１を上記冷却用素子２とともに積層させて上記除湿素子Ｚ１を構成した状態においては、該開口部１３がその両面に相対された一対の冷却用素子２，２によって閉塞され、所定の容積をもつ被処理空気混合部３１が形成される。
【００５３】
このように、上記吸着用素子１の通風路３，３，・・の流路途中に上記被処理空気混合部３１が形成されることで、該各通風路３，３，・・にそれぞれ分流して流入する被処理空気Ａａは、該被処理空気混合部３１に流入し、ここで合流し且つ混合される。このため、例え該被処理空気混合部３１の上流側の通風路３，３，・・から該被処理空気混合部３１への流入時に既に各通風路３，３，・・相互間において被処理空気Ａａの温度及び湿度が不均一となっていたとしても、該被処理空気混合部３１での混合作用によって、その温度及び湿度が可及的に均一化される（即ち、各通風路３，３，・・相互間における被処理空気Ａａの温度勾配及び湿度勾配が解消される）。そして、上記被処理空気混合部３１の下流側の各通風路３，３，・・には、該被処理空気混合部３１において温度及び湿度が可及的に均一化された被処理空気Ａａが流入され、該各通風路３，３，・・において該被処理空気Ａａの水分の吸着除去作用が行われることになる。この結果、上記吸着用素子１の上記被処理空気混合部３１よりも下流側領域においては、該領域の全域に温度及び湿度が均一化された冷却用空気Ａｂが流れることで吸着能力が可及的に均等化され、その全域が有効に吸着作用を為すことになる。
【００５４】
従って、この実施形態の吸着用素子１においては、例えば従来の除湿素子の吸着用素子のように、被処理空気Ａａと冷却用空気Ａｂとが直交流であることに起因して、該吸着用素子の上流側で且つ冷却用空気Ａｂの上流側に対応する部分で吸着能力が最大となり、ここから被処理空気Ａａの下流側及び冷却用空気Ａｂの下流側へ移行するに伴って次第に吸着能力が低下し、該吸着用素子の下流側で且つ冷却用空気Ａｂの下流側に対応する部位において吸着能力が最小となるような吸着能力勾配をもつ場合に比して、上記吸着用素子１における有効吸着領域がその全域に可及的に拡大され、該吸着用素子１はより高い吸着能力を発揮することになり、延いては、この吸着用素子１を備えて構成される上記除湿素子Ｚ１はより高い除湿能力を発揮することになる。
【００５５】
ＩＩ：第２の実施形態
図２には、本願発明の第２の実施形態にかかる吸着用素子１及びこれを備えて構成される除湿素子Ｚ２を示している。この除湿素子Ｚ２は、上記第１の実施形態の除湿素子Ｚ１と同様に、吸着用素子１と冷却用素子２とを平面視において９０°の位相角をもって交互に積層一体化して構成されるものであって、上記吸着用素子１の構造を改善することで、該第１の実施形態の除湿素子Ｚ１の奏する上記効果をさらに増進させることを狙ったものである。
【００５６】
即ち、上記第１の実施形態の除湿素子Ｚ１における上記吸着用素子１は、その通風路３，３，・・の流路途中に長矩形の開口部１３を形成し、該開口部１３によって上記被処理空気混合部３１を構成することで、冷却用空気Ａｂの温度及び湿度の均一化を実現し、これによって該吸着用素子１の吸着能力の向上を図っているのに対して、この実施形態の除湿素子Ｚ２の吸着用素子１においては、上記被処理空気混合部３１による冷却用空気Ａｂの温度及び湿度の均一化に加えて、該被処理空気混合部３１からその下流側の通風路３，３，・・に流入する冷却用空気Ａｂに偏流作用を付与し、これら両者の相乗作用によって上記吸着用素子１の吸着能力の更なる向上を図ったものである。
【００５７】
即ち、この実施形態の除湿素子Ｚ２に用いられる上記吸着用素子１においては、その通風路３，３，・・の流路途中に設けられる上記開口部１３の平面形状を、通風路３の流路方向における寸法が該吸着用素子１の一側部１ｃ側から他側部１ｄ側にかけて連続的に増大変化する台形状に設定している。このように上記開口部１３の平面形状を設定することで、該開口部１３の下流側に位置する通風路３，３，・・においては、その流路長さが、該吸着用素子１の一側部１ｃ側から他側部１ｄ側にかけて連続的に減少し、これに対応して該各通風路３，３，・・の流通抵抗も同様に変化する。
【００５８】
このため、上記吸着用素子１を上記冷却用素子２と共に積層して上記除湿素子を構成し、該吸着用素子１の上流部１ａ側から上記各通風路３，３，・・に被処理空気Ａａを流す場合、該被処理空気Ａａは上記開口部１３で構成される上記被処理空気混合部３１にその上流側の通風路３，３，・・からそれぞれ流入し、ここで混合されることでその温度及び湿度が可及的に均一化されるとともに、この温度及び湿度が均一化された被処理空気Ａａがさらに該被処理空気混合部３１からその下流側の通風路３，３，・・に流入する場合、該下流側の各通風路３，３，・・相互間の流通抵抗の相違に対応して、該流通抵抗の低い側の通風路３、即ち上記吸着用素子１の他側部１ｄ寄りの通風路３に偏って流れ、該他側部１ｄより側の流量が一側部１ｃ寄り側の流量よりも多くなる偏流状態が実現される。
【００５９】
この結果、上記吸着用素子１においては、上記被処理空気混合部３１の下流側で且つ冷却用空気Ａｂの下流側に位置する領域、即ち、吸着用素子１の下流部１ｂ寄りで且つ他側部１ｄ寄りの隅領域における吸着能力がより一層高められ、該吸着用素子１の有効吸着領域の更なる拡大によって該吸着用素子１は全体としてより高い吸着能力を発揮することになり、延いてはこの吸着用素子１を備えて構成される除湿素子Ｚ２の除湿能力の更なる向上が期待できるものである。
【００６０】
尚、上記冷却用素子２の構成等は、全て上記第１の実施形態の場合と同様であるので、ここでの説明は省略する。
【００６１】
ＩＩＩ：第３の実施形態
図３には、本願発明の第３の実施形態にかかる吸着用素子１及びこれを備えて構成される除湿素子Ｚ３を示している。この除湿素子Ｚ３は、上記第１の実施形態の除湿素子Ｚ１の発展例として位置付けられるものであって、上記第１の実施形態の除湿素子Ｚ１においては上記吸着用素子１に開口部１３を一つ形成していたのに対して、この実施形態の除湿素子Ｚ３の吸着用素子１においては該開口部１３を通風路３の流路方向に所定間隔をもって前後に二つ配置したものである。
【００６２】
従って、この実施形態の吸着用素子１においては、上記開口部１３で構成される上記被処理空気混合部３１による冷却用空気Ａｂの温度及び湿度の均一化作用が前後二段階で行われることから、冷却用空気Ａｂの温度及び湿度の均一化に基づく吸着用素子１の吸着能力の向上効果が倍増され、延いてはこの吸着用素子１を備えて構成される除湿素子Ｚ３の除湿能力の倍増が可能となるものである。
【００６３】
尚、この実施形態においては、上記開口部１３を上記第１の実施形態の吸着用素子１における開口部１３と同様に長矩形状に形成しているが、他の実施形態においては、例えば該開口部１３を上記第２の実施形態の開口部１３のように台形状に形成することもできるものである。
【００６４】
また、この実施形態においては、上記吸着用素子１に開口部１３を二つ形成した場合を示しているが、この開口部１３の形成個数には制限はなく、必要に応じて適宜設定できるものである。
【００６５】
ＩＶ：第４の実施形態
図４には、本願発明の第４の実施形態にかかる吸着用素子１及びこれを備えて構成される除湿素子Ｚ４を示している。この除湿素子Ｚ４は、上記吸着用素子１の吸着能力の向上を、上記第１〜第３の実施形態の除湿素子Ｚ１〜Ｚ３のように、吸着用素子１そのものの構造のみによって図るのではなく、これに上記冷却用素子２側の冷却特性を加味し、これら両者の相乗効果によって実現するようにしたものである。
【００６６】
即ち、この実施形態の除湿素子Ｚ４は、上記第１〜第３の実施形態の除湿素子Ｚ１〜Ｚ３と同様に、上記吸着用素子１と冷却用素子２とによって構成される。
【００６７】
上記吸着用素子１は、上下一対の平板材１１，１１とこれらの間に挟着される一枚の波板材１２とで構成されるが、この場合、この吸着用素子１に上記開口部１３を形成するに際して、上記一対の平板材１１，１１は打ち抜きの無い平板体のまま使用し、上記波板材１２のみに打ち抜きによって長矩形の１３を形成している。従って、この吸着用素子１においては、これ単体で、上記開口部１３によって上記被処理空気混合部３１が構成され、該吸着用素子１に並設される多数の通風路３，３，・・は上記被処理空気混合部３１によってその上流側部分と下流側部分とに分割された状態となっている。
【００６８】
このため、上記吸着用素子１にその上流部１ａ側から下流部１ｂ側に向けて上記各通風路３，３，・・を通って被処理空気Ａａが流れる場合、上記被処理空気混合部３１の上流側の通風路３，３，・・からそれぞれ該被処理空気混合部３１に流入する被処理空気Ａａは該被処理空気混合部３１において混合されその温度及び湿度が均一化され、かかる均一化状態のまま該被処理空気混合部３１からその下流側の通風路３，３，・・にそれぞれ流入する。これによって、上記吸着用素子１の上記被処理空気混合部３１の下流側部位における吸着能力が可及的に均等化されることになる。
【００６９】
一方、上記冷却用素子２は、上下一対の平板材２１，２１とこれらの間に挟着される一枚の波板材２２とで構成され、これら相互間に多数の通風路４，４，・・が並設されている。そして、この冷却用素子２の上記通風路４の流路方向に適宜離間した二位置には、該流路方向に直交する方向に延びる開口部２３，２３をそれぞれ形成し、該各開口部２３，２３によって冷却空気混合部３３，３３を構成している。また、この場合、上記開口部２３の平面形状は、流路方向の寸法が上記冷却用素子２の一側部２ｃ寄りで広く、他側部２ｄ寄りで狭くなるような略台形状に設定している。従って、上記各被処理空気混合部３２，３２の下流側の通風路４，４，・・においては、その流路長さが、該冷却用素子２の一側部２ｃ寄りで長く、他側部２ｄ寄りで短くなり、これに対応して該各通風路４，４，・・の流通抵抗もその流路方向に直交する方向（即ち、通風路４，４，・・の並設方向）において勾配をもち、上記一側部２ｃ寄りで大きく、他側部２ｄ寄りで小さくなっている。
【００７０】
このため、上記冷却用素子２にその上流部２ａ側から下流部２ｂ側に向けて上記通風路４，４，・・を通して冷却用空気Ａｂが流れる場合、この冷却用空気Ａｂは前後一対の冷却空気混合部３３，３３においてそれぞれ混合されその温度の均一化が図られるとともに、該各被処理空気混合部３２，３２の下流側の通風路４，４，・・の流通抵抗の相違に対応して、該流通抵抗の小さい側、即ち、上記冷却用素子２の他側部２ｄ寄りに偏って流れる。この冷却用空気Ａｂの上記被処理空気混合部３２，３２における混合による温度の均一化と、該被処理空気混合部３２，３２における偏流作用との相乗効果によって、上記冷却用素子２の冷却能力は、その一側部２ｃ寄りにおいて低く、他側部２ｄ寄りにおいて高くなるように、上記通風路４，４，・・の並設方向において勾配をもつことになる。
【００７１】
従って、上記吸着用素子１と冷却用素子２とを交互に積層して除湿素子Ｚ４を構成した場合、上記吸着用素子１の上記被処理空気混合部３１よりも下流側領域と上流側領域とを比較した場合、下流側領域は上記冷却用素子２による冷却作用が大きい（即ち、吸着熱の放熱作用が高い）ことから、上記被処理空気混合部３１の上流側領域（即ち、元々、吸着能力の高い領域）に匹敵する吸着能力を発揮し、該吸着用素子１全体としてより高い吸着能力をもつことになり、延いては上記除湿素子Ｚ４の除湿能力がさらに向上することになるものである。
【００７２】
尚、この実施形態においては、上記吸着用素子１側の通風路３，３，・・と上記冷却用素子２側の通風路４，４，・・とを完全に隔離して、被処理空気Ａａと上記冷却用素子２側の冷却用空気Ａｂとの混合を防止するために、上記吸着用素子１を両面段ボール状形態とし且つ波板材１２のみに開口部１３を形成（即ち、内部形成）したものであるが、かかる構成に限定されるものではなく、例えば上記吸着用素子１と冷却用素子２の構造を反転させて、上記吸着用素子１側の開口部１３を貫通形成し、上記冷却用素子２側の開口部２３を内部形成とすることもできるものである。
【００７３】
また、この実施形態のものにおいては、上記開口部２３が特許請求の範囲中の「偏流手段」に該当するが、この「偏流手段」の具体例としては、上記開口部２３を設けてその下流側の通風路４，４，・・の長さを変化させてその流通抵抗に差を持たせる構成の外に、例えば通風路４，４，・・の通路面積を異ならせて流通抵抗に差を持たせるように構成したり、上記開口部２３内に偏流板を配置して該偏流板によって冷却用空気Ａｂを機械的に偏流させる構成等、種々の構成を採用することができるものである。
【００７４】
Ｖ：第５の実施形態
図５には、本願発明の第５の実施形態にかかる吸着用素子１及びこれを備えて構成される除湿素子Ｚ５を示している。この除湿素子Ｚ５は、上記吸着用素子１に長矩形の開口部１３を形成し、該開口部１３によって被処理空気混合部３１を構成したものを対象とし、かかる構成をもつ吸着用素子１に相対される冷却用素子２においてその冷却効率を高め、これによって上記吸着用素子１の吸着能力の更なる向上を図るようにしたものである。
【００７５】
即ち、この実施形態の冷却用素子２は、上記第１の実施形態の吸着用素子１と同様に、上下一対の平板材２１，２１とこれらの間に挟着される一枚の波板材２２とによって構成された両面段ボール状形態をもち、且つ該波板材２２とその両側の各平板材２１，２１の間に多数の通風路４，４，・・を形成したものを基本形態としている。そして、かかる基本形態の吸着用素子１において、その平面領域を、上記通風路４，４，・・の流路方向に直交する方向において三つの領域に分け、その一側部２ｃ寄りに位置する領域を第１領域２５Ａ、その他側部２ｄ寄りに位置する領域を第２領域２５Ｂ、該第１領域２５Ａと第２領域２５Ｂの中間にあって上記吸着用素子１の被処理空気混合部３１（即ち、吸着能力をもたない部位）に対応する領域を第３領域２５Ｃとしている。そして、この三つの領域２５Ａ，２５Ｂ，２５Ｃのうち、中央に位置する上記第３領域２５Ｃにおいては、この領域に属する通風路４，４，・・の上下両端をそれぞれ閉塞材２４，２４によって閉塞し、冷却用空気Ａｂの流通を阻止するようにしている。
【００７６】
従って、上記冷却用素子２に対してその上流部２ａ側から冷却用空気Ａｂを流す場合、上記第１領域２５Ａと第２領域２５Ｂの二つの領域にそれぞれ属する通風路４，４，・・には冷却用空気Ａｂがそれぞれ流れるものの、上記第３領域２５Ｃに属する通風路４，４，・・には冷却用空気Ａｂは流れない。このため、この冷却用素子２において、その幅方向の両側にそれぞれ位置する上記第１領域２５Ａと第２領域２５Ｂにおいては冷却作用が為されるものの、中央に位置する第３領域２５Ｃにおいて冷却作用は為されない。また、冷却用空気Ａｂの全流量を一定とした場合には、例えば上記三つの領域２５Ａ，２５Ｂ，２５Ｃの全てに均等に冷却用空気Ａｂを流す場合に比して、上記第３領域２５Ｃに冷却用空気Ａｂが流れない分だけ、上記第１領域２５Ａと第２領域２５Ｂにおける流量が増加し、これら二つの領域ではより高い冷却作用が発揮されることになる。
【００７７】
従って、この冷却用素子２を備えて構成される除湿素子Ｚ５においては、上記吸着用素子１側における上記被処理空気混合部３１での被処理空気Ａａの温度及び湿度の均一化による吸着能力の向上効果と、上記冷却用素子２側における冷却能力の向上効果との相乗作用によって、より高い除湿能力を発揮することになる。
【００７８】
ＶＩ：第６の実施形態
図６には、本願発明の第６の実施形態にかかる吸着用素子１及びこれを備えて構成される除湿素子Ｚ６を示している。この除湿素子Ｚ６は、上記第５の実施形態にかかる除湿素子Ｚ５の除湿能力を、上記冷却用素子２側において上記第１領域２５Ａと第２領域２５Ｂ相互間の冷却能力に差をもたせて上記吸着用素子１の上記被処理空気混合部３１の下流側領域に対する冷却作用を促進させることで、より一層高めることを狙ったものである。
【００７９】
即ち、この実施形態の除湿素子Ｚ６における上記冷却用素子２においては、上記第５の実施形態の冷却用素子２と同様に両面段ボール状形態をもつとともに、その三つの領域２５Ａ，２５Ｂ，２５Ｃのうち、中央の第２領域２５Ｂを閉塞材２４によって閉塞してこれを冷却作用上無効としたものにおいて、さらに上記第１領域２５Ａに属する各通風路４，４，・・の通路面積を上記第２領域２５Ｂに属する各通風路４，４，・・の通路面積よりも小さくし、これら両領域２５Ａ，２５Ｂ相互間において冷却用空気Ａｂの流量に差をもたせることで、その冷却能力を、上記第１領域２５Ａ側において小さく、上記第２領域２５Ｂ側において大きくなるように設定したものである。
【００８０】
従って、かかる構造の冷却用素子２を備えて構成される除湿素子Ｚ６においては、上記吸着用素子１側における上記被処理空気混合部３１での被処理空気Ａａの温度及び湿度の均一化による吸着能力の向上効果と、上記冷却用素子２側における上記第３領域２５Ｃを閉塞してその分だけ第１領域２５Ａ及び第２領域２５Ｂ側の流量を増やしたことによる冷却能力の向上効果に加えて、該冷却用素子２の第１領域２５Ａ側と第２領域２５Ｂ側とで冷却能力に差をもたせたことによる効果（即ち、上記第２領域２５Ｂ側の冷却用空気Ａｂの流量をさらに増加させてその冷却能力を高めることで、上記吸着用素子１の被処理空気混合部３１の下流側領域をより効果的に冷却してその吸着能力の向上を図る効果）が相乗的に作用し、これによって上記除湿素子Ｚ６の除湿能力がより一層高められる。
【図面の簡単な説明】
【００８１】
【図１】本願発明の第１の実施形態に係る吸着用素子及びこれを備えた除湿素子を示す斜視図で
ある。
【図２】本願発明の第２の実施形態に係る吸着用素子及びこれを備えた除湿素子を示す斜視図で
ある。
【図３】本願発明の第３の実施形態に係る吸着用素子及びこれを備えた除湿素子を示す斜視図で
ある。
【図４】本願発明の第４の実施形態に係る吸着用素子及びこれを備えた除湿素子を示す斜視図で
ある。
【図５】本願発明の第５の実施形態に係る吸着用素子及びこれを備えた除湿素子を示す斜視図で
ある。
【図６】本願発明の第６の実施形態に係る吸着用素子及びこれを備えた除湿素子を示す斜視図で
ある。
【図７】従来の吸着用素子及びこれを備えた除湿素子を示す斜視図である。
【符号の説明】
【００８２】
１は吸着用素子、２は冷却用素子、３及び４は通風路、１１は平板材、１２は波板材、１３は開口部、２１は平板材、２２は波板材、２３は開口部、２４は閉塞材、２５Ａ〜２５Ｃは領域、３１及び３２は被処理空気混合部、３３は冷却空気混合部、３４は拡大混合部、Ａａは被処理空気、Ａｂは冷却用空気、Ｚ１〜Ｚ７は除湿素子である。
【図１】
0003632128.tif 000002
【図２】
0003632128.tif 000003
【図３】
0003632128.tif 000004
【図４】
0003632128.tif 000005
【図５】
0003632128.tif 000006
【図６】
0003632128.tif 000007
【図７】
0003632128.tif 000008